(57)【要約】【課題】  差圧予冷法や通風予冷法により野菜類や果物類を冷却して保管、輸送する保冷容器で、予冷作業時に容器本体や蓋体以外の部品を着脱する必要がなく、また保管、輸送時の部品の脱落等による容器内への外気の流入もなく、構造が簡単で部品点数も少なく製造が容易な保冷容器を提供する。【解決手段】  容器本体１と蓋体２の一対の側壁に高低差を設け、他の一対の側壁の両側に水平部を、中間部に傾斜部１０７ｃ、１０８ｃを形成し、容器本体と蓋体との接合部に互いに嵌合する嵌合部１１０を形成し、蓋体２を高低差のある一対の側壁のうち低い側壁側に移動させて容器本体１と蓋体２との傾斜部を互いに離間させて容器本体と蓋体との間に通気口を形成した際に容器本体１と蓋体２との嵌合部が交差する位置に、両嵌合部が交差状に嵌合する交差嵌合部として切欠部４，４を設けた保冷容器。【選択図】  図１
2005162282.tif 000002
【特許請求の範囲】
【請求項１】
発泡合成樹脂製の容器本体と蓋体とよりなり、前記容器本体は、相対する一対の側壁のうちの一方の側壁を他方の側壁よりも高く形成し、他の相対する一対の側壁は、その両側に水平部を形成し、中間部に前記両側の水平部に連なる傾斜部または垂直部を形成し、前記蓋体は、相対する一対の側壁のうちの一方を他方の側壁よりも低く形成し、他の一対の側壁は、その両側に水平部を形成し、中間部に前記両側の水平部に連なる傾斜部または垂直部を形成して、前記容器本体の各側壁上端部と前記蓋体の各側壁下端部とが接合するように形成し、前記容器本体と蓋体との接合部には、互いに嵌合する嵌合部の一方と他方とを形成するとともに、前記蓋体を前記傾斜部または垂直部を形成した一対の側壁に沿って高低差のある一対の側壁のうち低い側壁側に移動させて容器本体と蓋体との傾斜部または垂直部を互いに離間させることで容器本体と蓋体との間に通気口を形成したときに、容器本体と蓋体との嵌合部が交差する位置に、両嵌合部が交差状に嵌合する交差嵌合部を設けてなる保冷容器。
【請求項２】
前記交差嵌合部が、容器本体と蓋体との嵌合部の少なくとも一方に形成した切欠部である請求項１記載の保冷容器。
【請求項３】
容器本体と蓋体との嵌合部として、容器本体の側壁上端面の内周側に嵌合凸条を周設し、蓋体の側壁下端面の外周側に前記容器本体の嵌合凸条の外面側に係合する嵌合凸条を周設するとともに、容器本体の傾斜部または垂直部を設けた一対の側壁における水平部のうち高位置の水平部に形成された嵌合部または蓋体の高低差のある一対の側壁のうち高位置の側壁下端面に形成された嵌合部の少なくとも一方に前記交差嵌合部としての切欠部を形成してなる請求項２記載の保冷容器。
【請求項４】
容器本体と蓋体との嵌合部として、容器本体の側壁上端面の外周側に嵌合凸条を周設し、蓋体の側壁下端面の内周側に前記容器本体の嵌合凸条の内面側に係合する嵌合凸条を周設するとともに、容器本体の傾斜部または垂直部を設けた一対の側壁における水平部のうち低位置の水平部に形成された嵌合部または蓋体の高低差のある一対の側壁のうち低位置の側壁下端面に形成された嵌合部の少なくとも一方に前記交差嵌合部としての切欠部を形成してなる請求項２記載の保冷容器。
【発明の詳細な説明】
【技術分野】
【０００１】
本発明は、アスパラガスなどの野菜類やりんごなどの果物類などを収容し、例えば、差圧予冷法、通風予冷法などの予冷操作を行って容器に冷気を導入して容器内を冷却し、前記野菜類や果物類などの鮮度の低下を抑制した状態で保管、運搬することができる保冷容器に関するものである。また、本発明は、容器内に野菜類や果物類などを収納したまま蓋を取り外すだけで前記容器内の野菜類や果物類などの収容物を、買い物客などが見やすい状態で店頭などに展示することができる保冷容器に関する。
【背景技術】
【０００２】
上記のように、収容した野菜類や果物類などの生鮮食料品などの鮮度維持を目的とした予冷操作は、野菜類や果物類などを収容した発泡合成樹脂製の保冷容器を開口状態で予冷倉庫に保管し、差圧予冷法あるいは通風予冷法によって容器内に冷気を導入して内部の野菜類や果物類などを冷却した後、容器内の冷気が外部に流出しないように、前記予冷倉庫内で容器を密閉したうえで、予冷倉庫から搬出される。この場合に使用される保冷容器としては、容器の側面に設けた通気口（開口部）に該通気口を閉止する扉体（蓋片）を着脱可能に設け、前記扉体を取り外して通気口を開口した状態で予冷倉庫内に保管し、容器内に冷気を導入して冷却後、前記扉体により通気口を閉止して容器を密封したうえで予冷倉庫から搬出するように構成されたものがある（例えば、特許文献１、２など参照。）
【０００３】
しかしながら、上記のような従来の保冷容器は、予冷作業に際して通気口を開閉するための扉体（蓋片）が必要であり、容器に備わった通気口の数に対応する扉体を常に過不足なく常備しなければならず、その輸送の手間や扉体の紛失等の問題がある。また、予冷後に１容器につき複数の扉体で通気口を閉止する手間がかかる。さらに、扉体や通気口が破損していたり、通気口に対する扉体の嵌合作業に不備があった場合、輸送途上で前記扉体が容器から脱落したり、閉止が完全でないことから通気口から容器内に外気が流入し、容器内温度ひいては収容した野菜や果実の温度が上昇してしまう恐れがあった。この問題を防止するため、粘着テープなどで扉体を容器に固定する場合もあるが、そのコストや人的負担も大きい。また、粘着テープを剥がすときに容器の外観が損なわれるおそれもある。そのうえ、この保冷容器は、容器本体と蓋体に加えて、通気口を開閉するための扉体（蓋片）を備えており、通常の保冷容器に較べて容器の構造がそれだけ複雑で、また部品点数も多いため、製造コストも高くなりがちである。
【０００４】
また、容器内に野菜類や果物類などを収納したまま見やすい状態で店頭などに展示することができる保冷容器としては、容器本体の相対する一対の側壁に高低差を設けた保冷容器がある（例えば、特許文献３など参照。）
【特許文献１】実開昭６２−２００５８８号公報（実用新案登録請求の範囲、第１〜３図）
【特許文献２】実用新案登録第２５８９４９５号公報(実用新案登録請求の範囲、第１〜３図）
【特許文献３】特開平９−４００２５号公報（請求項３、図４３）
【発明の開示】
【発明が解決しようとする課題】
【０００５】
本発明は、例えば、差圧予冷法や通風予冷法によって容器内に冷気を導入して野菜類や果物類などを冷却したうえで、保管、輸送するための保冷容器として、予冷作業に際して容器本体や蓋体以外の部品を着脱する必要がなく、また保管や輸送に際して部品の脱落等による容器内への外気の流入という問題もなく、従来のこの種保冷容器に較べて構造が簡単で部品点数も少なく、製造が容易な保冷容器を提供せんとするものである。
【課題を解決するための手段】
【０００６】
上記の目的を達成するため、本発明に係る保冷容器は、発泡合成樹脂製の容器本体と蓋体とよりなり、前記容器本体は、相対する一対の側壁のうちの一方の側壁を他方の側壁よりも高く形成し、他の相対する一対の側壁は、その両側に水平部を形成し、中間部に前記両側の水平部に連なる傾斜部または垂直部を形成し、前記蓋体は、相対する一対の側壁のうちの一方を他方の側壁よりも低く形成し、他の一対の側壁は、その両側に水平部を形成し、中間部に前記両側の水平部に連なる傾斜部または垂直部を形成して、前記容器本体の各側壁上端部と前記蓋体の各側壁下端部とが接合するように形成し、前記容器本体と蓋体との接合部には、互いに嵌合する嵌合部の一方と他方とを形成するとともに、前記蓋体を前記傾斜部または垂直部を形成した一対の側壁に沿って高低差のある一対の側壁のうち低い側壁側に移動させて容器本体と蓋体との傾斜部または垂直部を互いに離間させることで容器本体と蓋体との間に通気口を形成したときに、容器本体と蓋体との嵌合部が交差する位置に、両嵌合部が交差状に嵌合する交差嵌合部を設けてなるものである。
【０００７】
前記保冷容器における交差嵌合部は、容器本体と蓋体との嵌合部の少なくとも一方に切欠部を形成することで設けることができる。
【０００８】
また、容器本体と蓋体との嵌合部として、容器本体の側壁上端面の内周側に嵌合凸条を周設し、蓋体の側壁下端面の外周側に前記容器本体の嵌合凸条の外面側に係合する嵌合凸条を周設した保冷容器にあっては、前記交差嵌合部としての切欠部は、容器本体の傾斜部または垂直部を設けた一対の側壁における水平部のうち高位置の水平部に形成された嵌合部または蓋体の高低差のある一対の側壁のうち高位置の側壁下端面に形成された嵌合部の少なくとも一方に形成すればよい。
【０００９】
また、容器本体と蓋体との嵌合部として、容器本体の側壁上端面の外周側に嵌合凸条を周設し、蓋体の側壁下端面の内周側に前記容器本体の嵌合凸条の内面側に係合する嵌合凸条を周設した保冷容器にあっては、前記交差嵌合部としての切欠部は、容器本体の傾斜部または垂直部を設けた一対の側壁における水平部のうち低位置の水平部に形成された嵌合部または蓋体の高低差のある一対の側壁のうち低位置の側壁下端面に形成された嵌合部の少なくとも一方に形成すればよい。
【発明の効果】
【００１０】
本発明の保冷容器は、容器本体と蓋体とにおける、相対する一対の側壁に高低差を設け、他の相対する一対の側壁の中間部に傾斜部または垂直部を形成してあるため、予冷作業に際して、蓋体を前記傾斜部または垂直部を形成した一対の側壁に沿って高低差のある一対の側壁のうち高さの低い側壁側に移動させることで、容器本体と蓋体との傾斜部または垂直部が互いに離間して容器本体と蓋体との間に通気口が形成される。このため、従来のこの種の保冷容器のように、予冷作業に際して、容器本体と蓋体以外の部品（扉体）を着脱する必要がなく、また、予冷作業終了後には、容器本体と蓋体とが、互いの接合部に設けた嵌合部により嵌合して容器が密閉されるので、輸送途中で容器が開口する等して外気が流入して内部温度が上昇するといったおそれもない。また、この保冷容器は、通常の容器と同様に容器本体と蓋体との２部品から構成することができるため、構造が簡単で部品点数も少ない。このため、通気口を開閉するための扉体を設けた従来の保冷容器に較べて低コストでの製造が可能となる。
【００１１】
また、この保冷容器にあっては、容器本体における相対する一対の側壁に高低差を設けてあるので、前記高低差のある一対の側壁のうちの高さ低い側壁を前面側にして蓋体を取り外せば、野菜類や果物類などを容器内に収容したままで買い物客などが見やすい状態で店頭などに展示することができる。
【発明を実施するための最良の形態】
【００１２】
図１〜図４に示すものは、本発明に係る保冷容器の１実施例としてのアスパラガス用の保冷容器であり、図１は開蓋状態の保冷容器の斜視図、図２は密閉状態の保冷容器の側面図及び断面図、図３は通気口を形成した状態の保冷容器の側面図及び断面図、図４は密閉状態及び通気口を形成した状態の保冷容器の要部拡大断面図である。
【００１３】
この保冷容器は、発泡合成樹脂製の容器本体１と、同じく発泡合成樹脂製の蓋体２とから構成されている。前記発泡合成樹脂の基材樹脂としては、ポリスチレンなどのポリスチレン系樹脂、ポリエチレン又はポリプロピレンなどのポリオレフィン系樹脂などを使用することができる。これらの中でも、価格や強度などの点でポリスチレン系樹脂、とりわけ汎用されているポリスチレンが好適に使用される。容器本体１は、平面視略矩形状で、底壁１００の周囲に、互いに平行に相対する二対の側壁１０１、１０２及び１０３、１０４が立設された形状に成形されている。前記二対の側壁のうち、一対の側壁１０１、１０２は、その上端面１０５、１０６がいずれも全長にわたって水平に形成されており、かつ一方の側壁１０１の高さを他方の側壁１０２の高さよりも高く形成して高低差が設けられている。他の一対の側壁１０３、１０４の上端面１０７、１０８は、その両側に、前記高低差のある側壁１０１、１０２と同じ高さの水平部１０７ａ、１０８ａ及び１０７ｂ、１０８ｂが形成され、中間部には、前記両側の水平部間を連結するように傾斜部１０７ｃ、１０８ｃが形成されている。一方、蓋体２は、容器本体１の底壁１００とほぼ同形の平面視矩形状で、上壁２００の周囲に、互いに平行に相対する二対の側壁２０１、２０２及び２０３、２０４が垂設された形状に成形されている。前記二対の側壁のうち、一対の側壁２０１、２０２は、その下端面２０５、２０６がいずれも全長にわたって水平に形成され、かつ、一方の側壁２０１の高さを、他方の側壁２０２の高さよりも高く形成して、容器本体１における一対の側壁１０１、１０２と同じ高低差が設けられている。また、蓋体２の他の一対の側壁２０３、２０４の下端面２０７、２０８は、その両側に、前記高低差のある側壁２０１、２０２と同じ高さの水平部２０７ａ、２０８ａ及び２０７ｂ、２０８ｂが形成され、中間部には、両側の水平部間を連結する傾斜部２０７ｃ、２０８ｃが、容器本体１の傾斜部１０７ｃ、１０８ｃに合致する傾斜をもって形成されている。また容器本体１の側壁１０１〜１０４の上端面１０５〜１０８には、その内周側に嵌合凸条１１０が周設されており、蓋体２の側壁２０１〜２０４の下端面２０５〜２０８には、その外周側に、容器本体１の嵌合凸条１１０の外面側に係合する嵌合凸条２１０が形成されている。これにより、容器本体１の側壁１０１〜１０４の上端部と、蓋体２の側壁２０１〜２０４の下端部とが互いに接合し、かつ嵌合凸条１１０と嵌合凸条２１０が係合することで、容器本体１の側壁上端面１０５〜１０８と蓋体２の側壁下端面２０５〜２０８との間が密閉された状態で、容器本体１に蓋体２が嵌合する。さらに、容器本体１における、傾斜部１０７ｃ、１０８ｃを有する一対の側壁１０３、１０４における両側の水平部１０７ａ、１０８ａ及び１０７ｃ、１０８ｃのうち、高位置の水平部１０７ａ、１０８ａの嵌合凸条１１０には、蓋体２を、容器本体１における高低差のある一対の側壁１０１、１０２のうちの高いほうの側壁１０１から低いほうの側壁１０２側にやや移動させて容器本体１の相対する一対の側壁１０３、１０４の傾斜部１０７ｃ、１０８ｃと蓋体２の相対する一対の側壁２０３、２０４の傾斜部２０７ｃ、２０８ｃとを離間させて、容器の両面に一対の通気口３、３を形成した状態で閉蓋できるように、容器本体１の嵌合凸条１１０と蓋体２の嵌合凸条２１０とが交差する位置に、蓋体２の嵌合凸条２１０が嵌合しうる交差嵌合部として、一対の切欠部４、４が形成されている。
【００１４】
なお、図中符号６は、容器本体１の底壁１００下面に形成された凹部、符号７は蓋体２の上壁２００上面に形成された凸部であり、複数の保冷容器を上下に積み重ねたときには、容器本体１の凹部６に蓋体２の凸部７が嵌合するようになっている。また、図例のアスパラガス用の保冷容器にあっては、蓋体２の高低差のある一対の側壁２０１、２０２のうちの低いほうの側壁２０２に傾斜凹部８が形成されている。この傾斜凹部８は、容器本体１内にアスパラガスＡを収納して蓋体２を嵌合した場合に、下部に較べて小径なアスパラガスＡの上部が容器内で揺動することを防止するために、容器内の上部空間を下部空間に較べて縮小させるものである。
【００１５】
上記のような保冷容器は、容器本体１内にアスパラガスＡを収納し、図２に示すように容器本体１に蓋体２を嵌合した密閉状態で使用される。そして、予冷作業に際しては、容器本体１から蓋体２を取り外すか、または蓋体２における高低差のある一対の側壁２０１、２０２のうちの高いほうの側壁２０１を持ち上げて容器本体１の嵌合凸条１１０と蓋体２の嵌合凸条２１０との係合を解除した状態で、蓋体２を容器本体１の低いほうの側壁１０２の方向にほぼ水平移動させ、容器本体１の一対の側壁１０３、１０４の傾斜部１０７ｃ、１０８ｃと、蓋体２の一対の側壁２０３、２０４の傾斜部２０７ｃ、２０８ｃとの間に通気口３、３を形成し、かつ容器本体１の嵌合凸条１１０と蓋体２の嵌合凸条２１０とが、容器本体１の一対の側壁１０３、１０４の各水平部１０７ａ、１０７ｂ、１０８ａ、１０８ｂと、蓋体２の一対の側壁２０３、２０４の各水平部２０７ａ、２０７ｂ、２０８ａ、２０８ｂにおいて、それぞれの嵌合部１１０と２１０と互いに係合し、かつ、蓋体２の側壁２０１の下端面２０５の嵌合凸条２１０が、容器本体１の相対する一対の側壁１０３、１０４の水平部１０７ａ、１０８ａに形成された交差嵌合部としての切欠部４、４に嵌合した状態で、容器本体１に蓋体２を嵌合する（図３）。このようにして、内部にアスパラガスＡを収容し、両側面に一対の通気口３、３が形成された状態の保冷容器を予冷倉庫内に保管し、差圧予冷法または通気予冷法などにより容器内に冷気を導入して、アスパラガスを適度な温度にまで冷却する。そして、予冷作業終了後には、再び図２に示すように蓋体２で容器本体１を密閉するように嵌合し、保管され、また輸送される。
【００１６】
上記のような保冷容器によれば、予冷作業に際して、容器本体１と蓋体２との嵌合位置を変える（水平方向へ少しだけ移動させる）だけで、閉蓋状態のまま容器の両側面に一対の通気口３、３が形成されることから、従来のように容器本体１と蓋体２以外の部品（通気口を開閉する扉体など）の着脱作業を必要とせず、部品を紛失するといったことがないし、また、容器を密閉した状態では、容器本体１と蓋体２とが、嵌合凸条１１０と嵌合凸条２１０とにより確実に嵌合されるので、容器内に外気が流入してアスパラガスＡなどの収納物の品温が急激に上昇してしまうといったこともない。また、容器は、容器本体１と蓋体２との２部品で構成することができ、しかも通気口やそれを閉止する扉体なども不要であり、通常の保冷容器と較べた構造上の主な相違点は、蓋体２の嵌合位置を変えたときに容器本体１の嵌合凸条１１０に、蓋体２の嵌合凸条２１０が嵌合する交差嵌合部としての切欠部４、４が形成されているだけである。このため、容器の構造が簡単で、かつ部品点数も少なく、前記通気口やそれを閉止する扉体を備えた従来のこの種の保冷容器に較べて安価に製造することができる。
【００１７】
また、容器本体１の一対の側壁１０１、１０２に高低差を設けているので、容器本体１内にアスパラガスＡを収納したままの状態で蓋体２を取り外すだけで、容器の一側面が開放された状態となり、容器内に収納されたアスパラガスＡが買い物客などから見えやすい状態で青果店の店頭などに展示することができる。
【００１８】
なお、上記実施例においては、容器本体１に対して蓋体２の嵌合位置を変えて通気口３を形成した状態での容器本体１の嵌合凸条１１０と蓋体２の嵌合凸条２１０との交差嵌合部として、容器本体１に形成した嵌合凸条１１０に一対の切欠部４、４を形成してあるが、これに代えて、前記両嵌合凸条１１０、２１０の交差位置における蓋体２側の嵌合凸条２１０に切欠部を形成するようにしてもよい。さらには、前記容器本体１の嵌合凸条１１０と蓋体２の嵌合凸条２１０との交差位置において、容器本体１の嵌合凸条１１０の一部を切欠形成するとともに蓋体２の嵌合凸条２１０も一部切欠形成して、容器本体１の嵌合凸条１１０と蓋体２の嵌合凸条２１０とが交差するようにしてもよい。
【００１９】
また、上記実施例の保冷容器においては、高低差のある一対の側壁１０１、１０２（２０１、２０２）間を連結してなる一対の側壁１０３、１０４（２０３、２０４）の中間部に、高い側壁１０１から低い側壁１０２に向かって下方に傾斜した傾斜部１０７ｃ、１０８ｃ（２０７ｃ、２０８ｃ）を形成してあるが、例えば図５に示すように、両側の水平部１０７ａ、１０７ｂ（１０８ａ、１０８ｂ）の中間部１０７ｃ、１０８ｃを垂直に形成してもよいし、さらに図６に示すように、該中間部１０７ｃ、１０８ｃの上部がその下部に対して、高低差のある一対の側壁１０１、１０２のうちの低い側壁１０２側に位置するように傾斜した状態に形成してもよい。
【００２０】
また、上記実施例の保冷容器においては、容器本体１の側壁１０１〜１０４の上端面１０５〜１０８の内周側に嵌合凸条１１０を形成し、蓋体２の側壁２０１〜２０４の下端面２０５〜２０８の外周側に、容器本体１の嵌合凸条１１０の外面側に係合する嵌合凸条２１０を形成してあるが、容器本体１と蓋体２との嵌合部の構造はこれに限定されるものではない。たとえば、この嵌合構造として、図７、図８に示すように、容器本体１の側壁１０１〜１０４の上端面１０５〜１０８の外周側に嵌合凸条１１０を形成し、蓋体２の側壁２０１〜２０４の下端面２０５〜２０８の内周側に、容器本体１の嵌合凸条１１０の内面側に係合する嵌合凸条２１０を形成してもよい。この場合には、容器本体１の嵌合凸条１１０と蓋体２の嵌合凸条２１０との交差嵌合部としては、蓋体２における傾斜部２０７ｃ、２０８ｃを有する一対の側壁２０３、２０４における両側の水平部２０７ａ、２０８ａ及び２０７ｂ、２０８ｂのうち、低位置の水平部２０７ｂ、２０８ｂの嵌合凸条２１０に、容器本体１の嵌合凸条１１０が嵌合しうる交差嵌合部としての一対の切欠部４を形成すればよい。また、前記蓋体２の嵌合凸条２１０に交差嵌合部としての切欠部４を形成するのに代えて、前記交差位置における容器本体１側の嵌合凸条１１０に切欠部を形成するようにしてもよい。さらには、前記容器本体１の嵌合凸条１１０と蓋体２の嵌合凸条２１０との交差位置において、容器本体１の嵌合凸条１１０の一部を切欠形成するとともに蓋体２の嵌合凸条２１０も一部切欠形成して、交差嵌合部としてもよい。
【００２１】
また、この種の保冷容器にあっては、予冷作業時や保管、輸送時には、複数の容器を上下に積み重ねることが多い。このため、図１〜図４に示した実施例の保冷容器のように、容器本体１の底壁１００下面に、図示したような凹部６又は凸部を形成する一方、蓋体２の上壁２００の上面には、前記容器本体１下面の凹部６又は凸部と嵌合する凸部７又は凹部を形成してある。これにより、複数の容器を積み重ねた時には、下位に位置する容器の蓋体２上面の凸部７又は凹部と、上位に位置する容器の容器本体１下面の凹部６又は凸部とが嵌合して、上下の容器同士の位置ズレによる荷崩れが防止される。ところが、本発明の保冷容器にあっては、前記のように、予冷作業に際して、容器本体１に対する蓋体２の嵌合位置を移動させ、容器の側面に予冷操作時に容器内に冷気を導入するための通気口３を形成するように構成してあり、予冷作業時と、保管、輸送時とは、積み重ねた上下の容器における容器本体１と蓋体２との位置が異なる。このため、予冷作業に際して、上下の容器における容器本体１と蓋体２とを、通気口３を形成しない容器の密閉状態と同じ位置で嵌合して積み重ねると、積み重ねる容器の数が増えるにともない、最下段の容器と最上段の容器との位置ズレが大きくなり、不安定になる。そこで、容器本体１の下面と蓋体２の上面に形成する互いに嵌合する凸部と凹部を、図２に示すような容器本体１と蓋体２とを、通気口３を形成しない状態に嵌合させた密閉状態と、図３に示すような容器本体１に対する蓋体２の嵌合位置を変えて通気口３を形成した開口状態との、いずれの状態で容器を積み重ねた場合であっても、積み重ねた各段の容器本体１が垂直線状に位置した状態で互いに嵌合し、かつ積み重ねた上下の保冷容器の容器本体１と蓋体２との移動が防止される形状に形成しておくことが好ましい。これにより、予冷作業に際して容器の側面に通気口３を形成した開口状態で容器を積み重ねる場合、また密閉状態で容器を積み重ねる場合の、いずれの場合にも、積み重ねた容器が崩れ落ちることを防止することができる。
【００２２】
図９、１０に示すものは、上記のような事情を考慮した本発明に係る保冷容器の他の実施例を示すものであり、図９（ａ）は蓋体２の上面図、図９（ｂ）は容器本体１の下面図であり、図１０（ａ）は、容器本体１と蓋体２とを密閉状態に嵌合したものを積み重ねた状態の断面図であり、また図１０（ｂ）は、容器の側面に通気口３を形成した状態で容器を積み重ねた状態の断面図である。
【００２３】
この実施例の保冷容器にあっては、図９（ａ）に示すように、蓋体２の上壁２００の上面に平面視略矩形状の凸部７１を形成し、一方、容器本体１の下壁１００下面には、図９（ｂ）に示すように、前記蓋体２の凸部７１と嵌合可能な平面視略矩形状の凹部６１を形成してある。前記容器本体１の凹部６１は、予冷作業に際して蓋体２を容器本体１に対して移動させる方向（図９中、Ｘ方向）の幅Ｗ２が、その移動距離の分だけ前記凸部７１の幅Ｗ１よりも広く形成され、これに直交する方向（図９中、Ｙ方向）においては、前記凸部７１と略同じ幅Ｗに形成してある。さらに、前記蓋体２の凸部７１のＹ方向に沿った両側には、一対の係合部７２，７２を形成する一方、前記容器本体１の凹部６１のＹ方向に沿った両側には、予冷作業に際して蓋体２を容器本体１に対して移動させる距離ｒだけＸ方向に位置をずらせた２箇所に、前記蓋体２の凸部７１の突出部７２，７２と係合する第１の係合部６２，６２と第２の係合部６３，６３を形成してある。
【００２４】
上記のような保冷容器においては、容器本体１と蓋体２とを密閉状態として複数の容器を積み重ねる場合には、下位の容器の蓋体２上面に設けた凸部７１を、該凸部７２の両側に突出形成した係合部７２、７２が、上位の容器の容器本体１下面に設けた凸部６１の第１の係合部６２、６２に係合する状態で、蓋体２の凸部７１と容器本体１の凹部６１とを嵌合させることで、図１０（ａ）に示すように、積み重ねた上下の容器における容器本体１及び蓋体２の全てが垂直方向において一直線上に並んだ状態となる。また、予冷作業に際して、容器本体１に対する蓋体２の嵌合位置を移動させて容器の側面に通気口３を形成した状態で複数の容器を積み重ねる場合には、下位の容器の蓋体２上面に設けた凸部７１を、該凸部７２の両側に突出形成した係合部７２、７２が、上位の容器の容器本体１下面に設けた凸部６１の第２の係合部６３、６３に係合する状態で、蓋体２の凸部７１と容器本体１の凹部６１とを嵌合させることで、図１０（ｂ）に示すように、積み重ねた上下の容器における容器本体１と蓋体２とが垂直方向においてそれぞれ一直線上に並んだ状態となる。したがって、この保冷容器によれば、容器側面に通気口３を形成した予冷作業時にあっても、また容器を密閉した状態であっても、積み重ねた容器の位置が次第にずれるといったことはない。したがって、予冷作業に際しても、また予冷後の保管、輸送に際しても、多数の容器を安定して積み重ねることができ、予冷、保管、輸送に際して倉庫内やトラックやコンテナなどの収納空間を有効利用することができる。
【００２５】
なお、容器本体１の下面と蓋体２の上面とに互いに嵌合可能に設けられる凸部と凹部の嵌合構造は前記のものに限定されるものではなく、例えば容器本体１下面と蓋体２の上面とのいずれか一方に、容器本体１に対する蓋体２の移動方向にそって該移動距離だけ位置をずらせた状態で互いに独立した凹部を形成し、容器本体１と蓋体２の他方に、前記凹部のいずれかに選択的に嵌合しうる凸部を設けるなど、各種の嵌合構造を採用することができる。
【００２６】
また、以上では、主にアスパラガスを収納するための保冷容器の実施例に基づき本発明を説明したが、本発明に係る保冷容器は、アスパラガス用に限定されるものではなく、その他の野菜類や果物類などの各種生鮮食品、更にはそれ以外の用途にも利用することができる。
【産業上の利用可能性】
【００２７】
本発明に係る保冷容器は、野菜類や果物類などの生鮮食品の保管、輸送のための容器として広範囲に使用することができる。
【図面の簡単な説明】
【００２８】
【図１】本発明に係る保冷容器の一実施例を示す斜視図である。
【図２】（ａ）は前記保冷容器の密閉状態の側面図であり、（ｂ）は同じく密閉状態の断面図である。
【図３】（ａ）は前記保冷容器の開口状態の側面図であり、（ｂ）は同じく開口状態の断面図である。
【図４】（ａ）は前記保冷容器の密閉状態における要部拡大断面図であり、（ｂ）は開口状態における要部拡大断面図である
【図５】保冷容器の他の実施例を示す、（ａ）は斜視図、（ｂ）は断面図である。
【図６】保冷容器の他の実施例を示す、（ａ）は斜視図、（ｂ）は断面図である。
【図７】保冷容器の他の実施例を示す、（ａ）は密閉状態の側面図、（ｂ）は同じく断面図である。
【図８】図７に示す保冷容器の、（ａ）は開口状態の側面図、（ｂ）は同じく断面図である。
【図９】保冷容器の更に他の実施例を示す、（ａ）は蓋体の平面図、（ｂ）は容器本体の底面図である。
【図１０】図９に示す保冷容器を積み重ねた状態の断面図であり、（ａ）は容器を密閉状態で積み重ねた状態を示す断面図であり、（ｂ）は容器を開口状態で積み重ねた状態を示す断面図である。
【符号の説明】
【００２９】
１  容器本体
２  蓋体
３  通気口
４  切欠部（交差嵌合部）
６  凹部
７  凸部
８  傾斜凹部
１００  容器本体の底壁
１０１〜１０４  容器本体の側壁
１０５〜１０８  容器本体側壁の上端面
１１０  容器本体の嵌合凸条
２００  蓋体の上壁
２０１〜２０４  蓋体の側壁
２０５〜２０８  蓋体側壁の下端面
２１０  蓋体の嵌合凸条
【図１】
2005162282.tif 000003
【図２】
2005162282.tif 000004
【図３】
2005162282.tif 000005
【図４】
2005162282.tif 000006
【図５】
2005162282.tif 000007
【図６】
2005162282.tif 000008
【図７】
2005162282.tif 000009
【図８】
2005162282.tif 000010
【図９】
2005162282.tif 000011
【図１０】
2005162282.tif 000012